(57)【要約】【課題】一対の羽根車装置を有し、運転中に生じる振動を軽減させることができる、動的バランスの良い扇風機を提供する。【解決手段】その軸芯が左右両方向へ突出しているモータ装置と、互いに他の一つを背にし、且つ、前記モータ装置による同一の回転方向で左右方向の外方へ送風することができるように、それぞれが、前記モータ装置の左右両方向へ突出している前記軸芯の両端に設置されている一対の羽根車装置と、前記モータ装置を下方から平面的に往復回動できるように支持している台座機構とを備えてなる扇風機において、前記台座機構から上方へ突出し且つ平面的に回転可能に前記台座機構に装置されている支持軸と、該支持軸によって下方から支持されると共に、前記モータ装置の重心周りを下方から数箇所バランスよく支持している固定プレートとからなる支持機構を備え、該支持機構を介して前記モータ装置を下方から前記台座機構で支持している。【選択図】図１
2006189037.tif 000002
【特許請求の範囲】
【請求項１】
その軸芯が左右両方向へ突出しているモータ装置と、
互いに他の一つを背にし、且つ、前記モータ装置による同一の回転方向で左右方向の外方へ送風することができるように、それぞれが、前記モータ装置の左右両方向へ突出している前記軸芯の両端に設置されている一対の羽根車装置と、
前記モータ装置を下方から平面的に往復回動できるように支持している台座機構とを備えてなる扇風機において、
前記台座機構から上方へ突出し、且つ、平面的に回転可能に前記台座機構に装置されている支持軸と、
該支持軸によって下方から支持されると共に、前記モータ装置の重心周りを下方から数箇所バランスよく支持している固定プレートとからなる支持機構を備え、該支持機構を介して前記モータ装置を下方から前記台座機構で支持していることを特徴とする扇風機。
【請求項２】
前記モータ装置は、モータを保護する外枠を有し、また、前記固定プレートは、固定ねじにより少なくとも前記外枠の左右両側で固定されて、前記モータ装置を下方からバランスよく支持していることを特徴とする請求項１に記載の扇風機。
【請求項３】
前記台座機構と前記固定プレートとの二つの機構の間に首振り機構が設置されていて、前記モータ装置及び前記羽根車装置を平面的に往復回動させることができることを特徴とする請求項１に記載の扇風機。
【発明の詳細な説明】
【技術分野】
【０００１】
本発明は、扇風機に関し、特に背にした一対の羽根車装置を有し、左右前後３６０°ほどの広範囲にも送風することができる扇風機に関する。
【背景技術】
【０００２】
従来の扇風機(図４参照)は、首振り機構５によりモータ装置１と羽根車装置２を台座機構４に対して所定の範囲に平面的に往復回動させることができるように構成されているが、通常は、左右１８０°程度しか回動できないので、広範囲に送風することができない(例えば、特許文献１)。
【０００３】
前記に鑑みて、本発明者は、モータの左右両方向へ突出している軸芯の両端に、互いに他の一つを背にした一対の羽根車装置を設置し、この一対の羽根車装置を平面的に往復回動可能に構成することで、３６０°ほどの広範囲にも送風することができる扇風機を提案した(例えば、特許文献２)。しかし、前記提案の扇風機では、そのモータないしそのモータ装置の全体が、単軸式の支持機構を介して下の台座機構に支持されているので、静的バランスについては問題がないと言えるものであるが、そのモータの軸芯の両端にある一対の羽根車装置の同一方向の回転及びそれらの左右方向の回動によって、振動が激しくなり、運転中にふらふらして動的バランスが良くなかった。
【特許文献１】特開平０７−２４３３９５号公報
【特許文献２】特開２００４−３２４６４０号公報
【発明の開示】
【発明が解決しようとする課題】
【０００４】
したがって、本発明の目的は、上記のように構成されている一対の羽根車装置を有する扇風機の上記問題点を解決し、即ち、運転中に生じる振動を軽減することができる、動的バランスの良い扇風機を提供することにある。
【課題を解決するための手段】
【０００５】
上記目的を達成するために、本発明は、その軸芯が左右両方向へ突出しているモータ装置と、互いに他の一つを背にし、且つ、前記モータ装置による同一の回転方向で左右方向の外方へ送風することができるように、それぞれが、前記モータ装置の左右両方向へ突出している前記軸芯の両端に設置されている一対の羽根車装置と、前記モータ装置を下方から平面的に往復回動できるように支持している台座機構とを備えてなる扇風機において、前記台座機構から上方へ突出し、且つ、平面的に回転可能に前記台座機構に装置されている支持軸と、該支持軸によって下方から支持されると共に、前記モータ装置の重心周りを下方から数箇所バランスよく支持している固定プレートとからなる支持機構を備え、該支持機構を介して前記モータ装置を下方から前記台座機構で支持していることを特徴とする扇風機を提供する。
【０００６】
そして、前記扇風機の実施形態として、前記モータ装置は、モータを保護する外枠を有し、また、前記固定プレートは、固定ねじにより少なくとも前記外枠の左右両側で固定されて、前記モータ装置を下方からバランスよく支持しているものが挙げられる。
【０００７】
また、前記台座機構と前記固定プレートとの二つの機構の間に従来のような首振り機構が設置されていて、前記モータ装置及び前記羽根車装置を平面的に往復回動させることができるものが更に挙げられる。
【発明の効果】
【０００８】
前記構成による扇風機は、前記支持機構により、数箇所、例えば、前記外枠の左右両側を介してモータ装置を下方からバランスよく支持しているので、モータの軸芯の両端にある一対の羽根車装置の同一方向の回転及びそれらの左右方向の回動による振動を軽減することができる。
【０００９】
また、従来のような首振り機構により、前記モータ装置及び前記羽根車装置を平面的に往復回動させることができるように構成されているものであれば、前記一対の羽根車装置をそれぞれ１８０°、合わせて３６０°ほど広範囲に回動させることができる。
【発明を実施するための最良の形態】
【００１０】
この発明の前記その他の目的、特徴及び利点は添付図面に例示する本発明の三つの好ましい実施形態に関する以下の詳しい記載から明らかである。また、本明細書における同一符号は類似している部品を表示する。
【００１１】
図１に示すように、本発明の扇風機の第一の好ましい実施形態は、モータ装置１０と、一対の羽根車装置２０、２０と、支持機構３０と、台座機構４０と、首振り機構５０とを備えてなる。
【００１２】
前記モータ装置１０は、モータ１５と、モータ１５の左右両方向へ突出している軸芯１３と、モータ１５を保護し、且つ、そのほぼ全体を覆うように設置されている外枠１１とからなる。軸芯１３の両端には、前記一対の羽根車装置２０、２０が、それぞれ互いに他の一つを背にするように取り付けられている。また、前記一対の羽根車装置２０、２０は、それぞれねじれが互いに逆方向に構成されている羽根車２１、２１を有するので、モータ１５が運転すると、羽根車２１、２１が軸芯１３を介して駆動され、同一の方向に回転するが、両方とも左右方向の外方へ送風することができる。
【００１３】
前記支持機構３０は、固定プレート３１と支持軸３２とからなっている。支持軸３２は、その一端が、台座機構４０から上方へ直立に突出し、且つ、その軸線を中心として平面的に回転可能に台座機構４０の軸穴４１に取り付けられており、他の一端が、モータ装置１０の重心部に対応する固定プレート３１の下側の位置で固設されていて、固定プレート３１を下方から支持している。前記モータ装置１０の外枠１１の下面の左右両側には、固定ねじ３３、３３を受けうるように構成されている二つの固定部１４、１４が支持軸３２を中心として対称的に形成されており、一方、固定プレート３１の上方には、二つの通り穴３１３、３１３が該固定部１４、１４と対応するように形成されている。固定プレート３１は、固定ねじ３３、３３により前記二つの固定部１４、１４において連結されている。即ち、支持機構３０の固定プレート３１は、そのモータ装置１０の重心部に対応する固定プレート３１の下方の位置に設けられた支持軸３２によって支持され、且つ、固定ねじ３３、３３や固定部１４、１４、通り穴３１３、３１３などの固定機構で、モータ装置１０の重心を中心として左右対称となる外枠１１の両側において固定されているので、バランスが良く、運転による振動力を固定プレート３１全体に均一に伝わらせて振動を軽減することができる。
【００１４】
また、前記首振り機構５０は、従来のものであるが、連結具５１と台座機構４０とが連結し合い、且つ、逆Ｌ字状の取付板５２と、下方へ９０°曲がっている固定プレート３１の一端とが連結し合うように、前記首振り機構５０は、台座機構４０と固定プレート３１との二つの機構の間に設置されている。前記首振り機構５０は、モータ装置１０及び一対の羽根車装置２０、２０を台座機構４０に対して平面的に往復回動させることができるように構成されている。この首振り機構５０により、支持機構３０の回転可能な支持軸３２は、左右または前後の１８０°位の所定範囲内にしか回動できないように制限されているが、羽根車装置２０、２０は、一対で左右対称に配置されているので、それぞれ１８０°であれば、合わせて３６０°ほど広範囲に回動されて送風することができる。
【００１５】
図２は、本発明の扇風機の第二の好ましい実施形態を示す側面部分断面図である。この実施形態と第一の好ましい実施形態との異なるところは、支持機構３０’の構造及び首振り機構５０’の構造と設置方式だけにある。本実施形態における支持機構３０’の固定プレート３１’は、Ｕ字状に形成されており、その上端部がそれぞれ支持軸３２’と離れるように曲がっていて、モータ装置１０の外枠１１に固定されている。それにより、本実施形態も、運転による振動力が固定プレート３１’全体に均一に伝わって振動を軽減することができる。また、首振り機構５０’は、Ｌ字状に形成されている取付板５２’により固定プレート３１’の一側面に連結されている。
【００１６】
図３は、本発明の扇風機の第三の好ましい実施形態を示す側面部分断面図である。この実施形態と第一の好ましい実施形態との異なるところは支持機構３０’’の構造及び首振り機構５０’’の構造と設置方式だけにある。本実施形態における支持機構３０’’の固定プレート３１’’は、Ｕ字状に形成されており、その上端部が支持軸３２’’に向うように曲がっていて、モータ装置１０の外枠１１に固定されている。それにより、本実施形態も、運転による振動力が固定プレート３１’’全体に均一に伝わって振動を軽減することができる。また、首振り機構５０’’は、取付板を備えておらず、固定プレート３１’’の底面に直接連結されている。
【産業上の利用可能性】
【００１７】
本発明、例えば第一の好ましい実施形態の場合には、支持機構３０の固定プレート３１が、そのモータ装置１０の重心部に対応する固定プレート３１の下方の位置に設けられた支持軸３２によって支持され、且つ、固定ねじ３３、３３や固定部１４、１４、通り穴３１３、３１３などの固定機構で、モータ装置１０の重心を中心として左右対称となる外枠１１の両側において固定されているので、運転による振動力を固定プレート３１全体に均一に伝わらせることができ、モータ装置１０の軸芯１３の両端にある一対の羽根車装置２０、２０の同一方向の回転及びそれらの左右方向の回動による振動を軽減することができる。
【００１８】
本発明は、更に、台座機構４０と固定プレート３１との二つの機構の間に首振り機構５０が設置されているので、前記一対の羽根車装置２０、２０をそれぞれ１８０°、合わせて３６０°ほど広範囲に回動させることができる。
【図面の簡単な説明】
【００１９】
【図１】本発明の扇風機の第一の好ましい実施形態を示す側面部分断面図である。
【図２】本発明の扇風機の第二の好ましい実施形態を示す側面部分断面図である。
【図３】本発明の扇風機の第三の好ましい実施形態を示す側面部分断面図である。
【図４】従来の扇風機を示す側面部分断面図である。
【符号の説明】
【００２０】
１  モータ装置
１０  モータ装置
１１  外枠
１３  軸芯
１４  固定部
１５  モータ
２  羽根車装置
２０  羽根車装置
２１  羽根車
３０  支持機構
３０’  支持機構
３０’’  支持機構
３１  固定プレート
３１’  固定プレート
３１’’  固定プレート
３１３  通り穴
３２  支持軸
３２’  支持軸
３２’’  支持軸
３３  固定ねじ
４  台座機構
４０  台座機構
４１  軸穴
５  首振り機構
５０  首振り機構
５０’  首振り機構
５０’’  首振り機構
５１  連結具
５２  取付板
５２’  取付板
【図１】
2006189037.tif 000003
【図２】
2006189037.tif 000004
【図３】
2006189037.tif 000005
【図４】
2006189037.tif 000006